(57)【特許請求の範囲】
【請求項１】
対物光学系レンズをレンズ枠部材に取り付ける長さＬ2 の鏡胴と、
この鏡胴をその光軸方向へ移動可能に保持し、上記鏡胴長Ｌ2 よりも長いＬ1 の光路空間を持つ鏡胴保持部材と、を備えた内視鏡用撮像装置において、
上記鏡胴の後端部に、そのレンズ枠部材を光軸方向に突出させた延出部を設け、
この延出部の長さＬ3 を、Ｌ3 ＞Ｌ1 −Ｌ2 に設定することにより、上記鏡胴が上記鏡胴保持部材内の光路空間内へ没入するのを防止したことを特徴とする内視鏡用撮像装置。
【発明の詳細な説明】
【０００１】
【発明の属する技術分野】
本発明は内視鏡用撮像装置、特に組立て時等で鏡胴を鏡胴保持部材により光軸方向に移動可能に保持する撮像装置の構造に関する。
【０００２】
【従来の技術】
図４には、従来の電子内視鏡等で用いられる撮像装置の構成が示されている。この撮像装置は、内視鏡先端部内に配置されるが、図４（Ａ）のように、対物光学系（レンズ群）１をレンズ枠２に保持した鏡胴３と、この鏡胴３を光軸方向１００に移動可能に保持する鏡胴保持部材４を有しており、上記対物光学系１の第１レンズ１Ａが先端面に配置される。
【０００３】
また、上記鏡胴保持部材４の後方に、プリズム５が取り付けられ、このプリズム５にカバーガラス６を介して固体撮像素子であるＣＣＤ（Charge Coupled Device）７が光学的に接続される。このＣＣＤ７は、回路基板として機能するパッケージ８内に収められ、その上側が上記カバーガラス６で塞がれることになり、このパッケージ８にビデオ信号を伝送するための信号線が接続される。
【０００４】
このような撮像装置によれば、上記の対物光学系１によって捉えられた像光がプリズム５で反射されてＣＣＤ７の撮像面（上面）に到達することになり、このＣＣＤ７では入射光に対応した電荷量をビデオ信号として出力し、このビデオ信号を処理することにより被観察体内の画像が形成される。
【０００５】
【発明が解決しようとする課題】
しかしながら、この種の内視鏡用撮像装置では、図４（Ａ）に示されるように、鏡胴保持部材４の光路空間の長さＬ1 が鏡胴３の長さＬ2 よりも長くなる場合があり、この場合には、図４（Ｂ）に示されるように、この鏡胴３が鏡胴保持部材４の中に入り込むという問題があった。
【０００６】
即ち、上記鏡胴保持部材４は光軸方向１００へ鏡胴３を前後移動可能にすることにより、組付け時における撮像系のピント合せと結像サイズを所定の大きさに設定する役目をする。内視鏡では、上記ＣＣＤ７の撮像面での結像サイズを調整することにより、モニタでの画像表示の大きさを各種サイズに設定しており、例えば対物光学系で得られる画像の全領域（円領域）を表示するタイプや上下、左右が欠けた（この欠ける割合は各種サイズが存在する）領域を表示するタイプ等に適合させるようになっている。
【０００７】
そして、一般に上記鏡胴保持部材４の長さＬ1 は最初から製作機種の所定結像サイズに合せて設定されることになるが、逆に各種の結像サイズに合せられるように、この鏡胴保持部材４の長さＬ1 を長くすることも可能である。しかし、この場合は図４（Ｂ）のように、鏡胴３が鏡胴保持部材４の中に入り込み、前側へ出せなくなってしまうことが生じる。
【０００８】
一方、上記鏡胴保持部材４の長さＬ1 を保持機能の点で考えても、嵌合長が短い場合は鏡胴３を十分な強度で保持できず、また軸ぶれ等も起こすことになるので、この長さＬ1 は長い方がよいことになる。
【０００９】
そこで、鏡胴３が没入したときの解決手段として、図５に示す切込み構造を採用することも可能である。即ち、図示されるように、鏡胴保持部材４の例えば左右の側面に前側が開放端となる溝状の切込み１０を水平方向に設ける。これによれば、鏡胴３が保持部材４内に入り込んだとき、上記の切込み１０を介してピンセット状の治具で鏡胴３を掴み、これを引き出すことができる。しかし、上記の鏡胴３や鏡胴保持部材４の径はミリ単位と小さいため、治具による引出し作業が煩雑になる。
【００１０】
本発明は上記問題点に鑑みてなされたものであり、その目的は、鏡胴保持部材内に鏡胴が入り込むことがなく、治具等による引出し作業も不要となる内視鏡用撮像装置を提供することにある。
【００１１】
【課題を解決するための手段】
上記目的を達成するために、本発明は、対物光学系レンズをレンズ枠部材に取り付ける長さＬ2 の鏡胴と、この鏡胴をその光軸方向へ移動可能に保持し、上記鏡胴長Ｌ2 よりも長いＬ1 の光路空間を持つ鏡胴保持部材と、を備えた内視鏡用撮像装置において、上記鏡胴の後端部に、そのレンズ枠部材を光軸方向に突出させた延出部（没入防止手段）を設け、この延出部の長さＬ3 を、Ｌ3 ＞Ｌ1 −Ｌ2 に設定することにより、上記鏡胴が上記鏡胴保持部材内の光路空間内へ没入するのを防止したことを特徴とする。
【００１２】
上記の構成によれば、没入防止手段として、レンズ枠部材（保持部材）の後端部の全部又は一部を所定長さだけ光軸方向に延出させた延出部が設けられ、鏡胴の後側への移動によりこの延出部が鏡胴保持部材の後端面に突き当ったときでも、鏡胴の前側が鏡胴保持部材から突出する状態となり、この鏡胴保持部材内に鏡胴が入り込むことはない。
【００１３】
【発明の実施の形態】
図１には、実施形態例に係る内視鏡用撮像装置（固体撮像素子組付け体）の構造が示されている。図示されるように、この撮像装置は基本的に従来と同様であり、鏡胴１２は、内視鏡先端面に配置される第１レンズ１Ａを含む対物光学系（レンズ群）１をレンズ枠１３で保持する構成となる。そして、この鏡胴１２は鏡胴保持部材４内において、光軸方向１００へ移動可能に保持される。
【００１４】
上記鏡胴保持部材４の後方に、プリズム５が取り付けられ、このプリズム５にカバーガラス６を介して固体撮像素子であるＣＣＤ７が光学的に接続される。即ち、このＣＣＤ７は、回路基板として機能するパッケージ８内に収納され、このパッケージ８の上面が上記カバーガラス６で塞がれており、図示していないが、このパッケージ８にビデオ信号を伝送するための信号線が接続される。
【００１５】
そして、上記の鏡胴１２のレンズ枠１３には、図１（Ｂ）、図２に示されるように、後端部にその枠部材を長さＬ3 だけ光軸方向に突出させた延出部１３Ａが設けられる。即ち、鏡胴１２において対物光学系１が配置される部分は、従来と同様に長さＬ2 であり、この長さＬ2 の鏡胴１２の後側に、中身のない筒状の延出部１３Ａを形成する。この延出部１３Ａの長さＬ3 は、本体部の長さＬ2 と加算した値が鏡胴保持部材４の長さＬ1 よりも長くなる（Ｌ2 ＋Ｌ3 ＞Ｌ1 となる）ように、即ちＬ3 ＞Ｌ1 −Ｌ2 に設定される。なお、この延出部１３Ａの代りに、図２に示されるように、円筒の上記レンズ枠１３の一部を延出させた延出部１３Ｂを設けることもできる。
【００１６】
実施形態例は以上の構成からなり、図１の撮像装置では、鏡胴１２を鏡胴保持部材４内で光軸方向１００へ動かすことにより、ＣＣＤ７の撮像面での結像サイズの調整とピント合せが行われることになる。上述したように、内視鏡では、モニタ画面で表示する画像枠（円領域）の大きさが異なる機種があり、これに合せた結像サイズとなるように、上記鏡胴１２の光軸方向１００の位置を調整する。
【００１７】
そして、この鏡胴１２の光学調整の際には、鏡胴１２を後端部まで移動させたとしても、延出部１３Ａ（又は１３Ｂ）が鏡胴保持部材４の内側後端面に突き当たることにより、従来のように鏡胴１２自体が当該鏡胴保持部材４内に入り込むということがなく、結像サイズ調整とピント合せをスムーズに行うことができる。
【００２０】
【発明の効果】
以上説明したように、本発明によれば、鏡胴長Ｌ2 よりも長いＬ1 の光路空間を持つ鏡胴保持部材を備えた撮像装置で、鏡胴の後端部に、そのレンズ枠部材を光軸方向に突出させた延出部を設け、この延出部の長さＬ3 を、Ｌ3 ＞Ｌ1 −Ｌ2 に設定することにより、鏡胴が鏡胴保持部材内の光路空間内へ没入するのを防止したので、組み付け時に鏡胴保持部材内に鏡胴が入り込むことがなく、治具等による引出し作業も不要となり、結像サイズの調整やピント合せを良好に行うことができる。
【図面の簡単な説明】
【図１】  本発明の実施形態例に係る内視鏡用撮像装置の構成を示す側面断面図で、図（Ｂ）は鏡胴を後端部まで移動させた状態の図である。
【図２】  実施形態例の鏡胴を示す外観斜視図である。
【図３】  従来の内視鏡用撮像装置の構成を示す側面断面図で、図（Ｂ）は鏡胴を後端部まで移動させた状態の図である。
【図４】  従来の課題を解決する一つの例を示す撮像装置の側面図である。
【図１】
0004317285.tif 000002
【図２】
0004317285.tif 000003
【図３】
0004317285.tif 000004
【図４】
0004317285.tif 000005